(57)【要約】      （修正有）【課題】スイッチの操作を容易に行うことができる光源装置および光源装置を備えた顕微鏡を提供する。【解決手段】光源装置１０は、本体部１１と、回転台１２と、光源と、電池ケース１３と、スイッチ１４とを備える。本体部１１は、軸方向に延在する筒状を有する。回転台１２は、本体部１１の軸方向ａの一方端部側に設けられ、本体部１１に対して回転可能に構成されている。光源は、本体部１１の内側に設けられている。電池ケース１３は、本体部１１の外側に設けられ、かつ光源に電源を供給するための電池を収納可能に構成されている。スイッチ１４は、本体部１１の外側に設けられ、かつ軸方向ａに沿って傾けることにより光源のオンオフおよび光源の強弱の双方を切換可能に構成されている。【選択図】図３
0003191200.tif 000002
【実用新案登録請求の範囲】
【請求項１】
軸方向に延在する筒状の本体部と、
前記本体部の前記軸方向の一方端部側に設けられ、前記本体部に対して回転可能に構成された回転台と、
前記本体部の内側に設けられた光源と、
前記本体部の外側に設けられ、かつ前記光源に電源を供給するための電池を収納可能に構成された電池ケースと、
前記本体部の外側に設けられ、かつ前記軸方向に沿って傾けることにより前記光源のオンオフおよび前記光源の強弱の双方を切換可能に構成されたスイッチとを備えた、光源装置。
【請求項２】
前記電池ケースは、前記電池ケースに前記電池を収納した状態で前記電池の側面が前記電池ケースから露出するように構成されている、請求項１に記載の光源装置。
【請求項３】
前記本体部の内側に配置され、かつ貫通孔を有する支持板をさらに備え、
前記光源は、光源本体と、前記光源本体に接続された端子部とを含み、
前記光源本体の少なくとも一部は、前記貫通孔内に配置され、かつ接着剤を介して前記支持板に固定されている、請求項１または請求項２に記載の光源装置。
【請求項４】
前記スイッチは、
前記本体部の外側面から前記本体部の外側へ突き出し、かつ外周面にねじ部を有する突出部と、
前記本体部の外側に配置され、前記突出部の前記ねじ部に螺合するナット部とを含み、
前記本体部の外側の前記突出部の突き出し方向における厚みは、前記突き出し方向における前記ナット部の厚みよりも大きい、請求項１〜請求項３のいずれか１項に記載の光源装置。
【請求項５】
前記電池ケースの下端部と、前記回転台の上端部との間に配置され、かつ前記電池と、前記光源とを電気的に接続する配線をさらに備えた、請求項１〜請求項４のいずれか１項に記載の光源装置。
【請求項６】
請求項１〜請求項５のいずれか１項に記載の光源装置を備えた顕微鏡。
【考案の詳細な説明】
【技術分野】
【０００１】
本考案は、光源装置および光源装置を備えた顕微鏡に関し、特定的には、筒状の本体部を含む光源装置および光源装置を備えた顕微鏡に関する。
【背景技術】
【０００２】
顕微鏡で観察する視野を明るくするために、反射鏡の代わりに光源装置を利用した顕微鏡が知られている。たとえば、ケニス株式会社、「顕微鏡カタログ改訂版」、２０１３年、ｐ．１１（非特許文献１）には、光源装置を用いた生物顕微鏡が掲載されている。光源装置は、円筒状の本体部を有しており、円筒の本体部の軸方向の一方端部側に雄ネジ部が設けられている。一方、顕微鏡の台座部には、雌ネジ部が設けられている。光源装置の雄ネジ部を顕微鏡の台座部に設けられた雌ネジ部上に配置し、軸線の周りに光源装置の本体部を回転させることにより、光源装置が顕微鏡の台座部に固定される。光源装置の側面部には、光源のオンオフを切り替えるためのスイッチが設けられている。
【先行技術文献】
【非特許文献】
【０００３】
【非特許文献１】ケニス株式会社、「顕微鏡カタログ改訂版」、２０１３年、ｐ．１１
【考案の概要】
【考案が解決しようとする課題】
【０００４】
上記顕微鏡カタログ改訂版に掲載されている光源装置は、本体部が回転する平面と平行な方向にスイッチを移動させることにより、光源のオンオフが切換えられる構造を有しているため、本体部が回転しないように一方の手で本体部を固定しながら他方の手でスイッチを操作する必要があり、スイッチ操作が非常に煩雑であった。
【０００５】
本考案は、上記課題に鑑みてなされたものであり、その目的は、スイッチの操作を容易に行うことができる光源装置および光源装置を備えた顕微鏡を提供することである。
【課題を解決するための手段】
【０００６】
本考案の光源装置は、本体部と、回転台と、光源と、電池ケースと、スイッチとを備える。本体部は、軸方向に延在する筒状を有する。回転台は、本体部の軸方向の一方端部側に設けられ、本体部に対して回転可能に構成されている。光源は、本体部の内側に設けられている。電池ケースは、本体部の外側に設けられ、かつ光源に電源を供給するための電池を収納可能に構成されている。スイッチは、本体部の外側に設けられ、かつ軸方向に沿って傾けることにより光源のオンオフおよび光源の強弱の双方を切換可能に構成されている。
【０００７】
上記の光源装置によれば、スイッチを傾ける方向は、本体部が回転する平面に対して垂直である。そのため、スイッチ操作の際に本体部が回転することを防止することができる。結果として、スイッチの操作を容易に行うことができる。具体的には、片手でスイッチの操作を行うことができる。また、回転台が本体部に対して回転可能に構成されているため、光源装置を容易に顕微鏡の台座部に取り付けることができる。さらに、光源装置を顕微鏡の台座部に取り付けた後に、本体部を回転させることができるため、スイッチの位置および電池ケースの位置を自由に調整することができる。
【０００８】
上記の光源装置において、電池ケースは、電池の側面が電池ケースから露出するように構成されていてもよい。これにより、電池が電池ケースに装着されているかどうかを電池ケースの外部から容易に確かめることができる。また、電池の交換作業を容易に行うことができる。
【０００９】
上記の光源装置は、本体部の内側に配置され、かつ貫通孔を有する支持板をさらに備えていてもよい。光源は、光源本体と、光源本体に接続された端子部とを含む。光源本体の少なくとも一部は、貫通孔内に配置され、かつ接着剤を介して支持板に固定されている。これにより、光源本体を強固に支持板に固定することができる。
【００１０】
上記の光源装置において、スイッチは、本体部の外側面から本体部の外側へ突き出し、かつ外周面にねじ部を有する突出部と、本体部の外側に配置され、突出部のねじ部に螺合するナット部とを含む。本体部の外側の突出部の突き出し方向における厚みは、突き出し方向におけるナット部の厚みよりも大きい。突出部により、スイッチの根元を効果的に保護することができる。
【００１１】
上記の光源装置において、電池ケースの下端部と、回転台の上端部との間に配置され、かつ電池と、光源とを電気的に接続する配線をさらに備えている。これにより、配線を電池ケースの下端部と、回転台の上端部との間にまで引き出すことにより、配線の接続を容易にすることができる。また配線を電池ケースの上端部に引き出すと、作業時に誤って配線が切断される可能性がある。電池ケースの下端部と、回転台の上端部との間に配線を配置することで、電池ケースと回転台との両方により配線の接続部が保護されるため、誤って配線が切断させることを防止することができる。
【００１２】
本考案の一態様に係る顕微鏡は、上記に記載の光源装置を備えている。これにより、スイッチの操作を容易に行うことができる顕微鏡を提供することができる。
【考案の効果】
【００１３】
本考案によれば、スイッチの操作を容易に行うことができる光源装置および光源装置を備えた顕微鏡を提供することができる。
【図面の簡単な説明】
【００１４】
【図１】本考案の一実施の形態に係る顕微鏡の構造を概略的に示す斜視図である。
【図２】本考案の一実施の形態に係る顕微鏡から光源装置を取り除いた状態を概略的に示す斜視図である。
【図３】本考案の一実施の形態に係る光源装置の構造を概略的に示す斜視図である。
【図４】本考案の一実施の形態に係る光源装置の構造を概略的に示す左側面図である。
【図５】本考案の一実施の形態に係る光源装置の構造を概略的に示す正面図である。
【図６】本考案の一実施の形態に係る光源装置の構造を概略的に示す上面図である。
【図７】本考案の一実施の形態に係る光源装置の内部構造を概略的に示す一部断面図である。
【図８】本考案の一実施の形態に係る光源装置のスイッチ機構の構造を概略的に示す一部断面図である。
【図９】本考案の一実施の形態に係る光源装置の構造を概略的に示す分解斜視図である。
【図１０】本考案の一実施の形態に係る光源装置の概略回路図である。
【考案を実施するための形態】
【００１５】
以下、図面に基づいて本考案の実施の形態を説明する。なお、以下の図面において同一または相当する部分には同一の参照番号を付し、その説明は繰返さない。
【００１６】
まず、本考案の一実施の形態に係る顕微鏡１の構成について説明する。
図１を参照して、本実施の形態に係る顕微鏡１は、たとえば微生物および花粉などの観察に用いられる生物顕微鏡であり、接眼レンズ２と、対物レンズ３と、粗動ハンドル４と、微動ハンドル５と、筐体６と、ステージ７と、台座部８と、絞り３２と、光源装置１０とを主に有している。接眼レンズ２は、たとえば１０倍の倍率を有する。対物レンズ３は、たとえば４倍、１０倍および４０倍の倍率で切換え可能に構成されている。接眼レンズ２と対物レンズ３とを併せた総合倍率は、たとえば４０倍から４００倍までの範囲である。接眼レンズ２を１５倍の倍率のレンズに交換することにより、最大の総合倍率は６００倍となる。
【００１７】
粗動ハンドル４および微動ハンドル５の各々は、ステージ７を上下に移動させて被観察物の焦点を調整可能に構成されている。粗動ハンドル４は、ステージ７の高さを大まかに調整可能である。微動ハンドル５は、ステージ７の高さの微調整が可能である。粗動ハンドル４および微動ハンドル５の各々は、筐体６の下方側に設けられている。なお、微動ハンドル５はなくても構わない。ステージ７は、被観察物が配置されたプレパラートなどが配置される部分である。ステージ７の中央付近には貫通孔が設けられ、光源装置１０から発せられる光が貫通孔を通過可能に構成されている。絞り３２は、光源の明るさを調節するためのものであり、ステージ７の下方に設けられている。絞り３２によって光源の明るさを調整することにより見える像のコントラストを調整することができる。光源装置１０は、ステージ７と台座部８との間に配置されている。つまり、光源装置１０は、ステージ７から見て対物レンズ３とは反対側に位置している。光源装置１０の構成の詳細ついては後述する。
【００１８】
図２を参照して、光源装置１０の着脱方法について説明する。光源装置１０は、顕微鏡１の台座部８に対して脱着可能に設けられている。光源装置１０の下側には雄ネジ部１７が設けられている。一方、顕微鏡１の台座部８には、光源装置１０の雄ネジ部１７と螺合可能な雌ネジ部９が設けられている。光源装置１０の雄ネジ部１７を顕微鏡１の台座部８に設けられた雌ネジ部９上に配置し、円筒状の本体部１１を固定した状態で、光源装置１０の回転台１２を軸方向の周りに時計回りに回転させることにより、光源装置１０が顕微鏡１の台座部８に取り付けられる。光源装置１０を顕微鏡１の台座部８から取り外す場合は、円筒状の本体部１１を固定した状態で、回転台１２を軸方向の周りに反時計回りに回転させることにより、光源装置１０が台座部８から取り外される。光源装置１０の代わりに、反射鏡（図示せず）を台座部８に取り付けることも可能である。
【００１９】
次に、光源装置１０の構成について説明する。
図３〜図１０を参照して、本実施の形態に係る光源装置１０は、本体部１１と、回転台１２と、電池ケース１３と、スイッチ１４と、光拡散用フィルタ１５と、表示シール１６と、光源２０、雄ネジ部１７とを主に有している。本体部１１は、軸方向ａに延在する筒状の外側面を有する。筒状とは、たとえば円筒状である。本体部１１の外側面の形状は、軸方向ａから見て、円形または楕円形であってもよいし、多角形であってもよい。本体部１１の軸方向ａの一方端部側には回転台１２が設けられ、かつ他方端部側には光拡散用フィルタ１５が設けられている。光拡散用フィルタ１５は、たとえば透光性のプラスチックを含む材料からなり、光源２０から発せられる光が透過可能に構成されている。光拡散用フィルタ１５の表面は、たとえば微小な凹凸が形成されており、光源２０から発せられた光を拡散するように構成されている。
【００２０】
図３を参照して、回転台１２は、本体部１１に対して回転可能に構成されている。具体的には、本体部１１を固定した場合は、本体部１１に対して回転台１２を回転させることができる。反対に、回転台１２を固定した場合は、回転台１２を本体部１１に対して回転させることができる。回転台１２は、本体部１１の軸方向ａの周りに、時計回りおよび反時計回りのいずれの回転方向ｂにも回転可能である。
【００２１】
電池ケース１３は、本体部１１の外側に設けられている。電池ケース１３は、光源２０に電源を供給するための電池（図示せず）を収納可能に構成されている。本実施の形態の電池ケース１３には、単４型の電池を２本収容可能である。電池ケース１３の長辺方向は、本体部１１の軸方向ａとほぼ平行であり、電池ケース１３の短辺方向は、本体部１１が回転する平面とほぼ平行である。図４を参照して、電池ケース１３は、背面部１３ａと、側面部１３ｂと、端子部１３ｃとを主に含んでいる。背面部１３ａは、本体部１１の側面に形成された孔の大部分を塞ぐように設けられている。端子部１３ｃは、たとえば電池の負極と接するように設けられている。端子部１３ｃは、配線１８ａと電気的に接続され、光源２０に電源を供給可能に構成されている。電池ケース１３の側面部１３ｂは、電池の円弧状の側面に沿うように湾曲しており、電池が電池ケースから外れないように固定している。電池ケース１３の側面部１３ｂは、電池の円弧状の側面の一部のみを覆っている。つまり、電池ケース１３の側面部１３ｂは、電池の側面全体を覆わないように構成されている。言い換えれば、電池ケース１３は、電池の側面が電池ケース１３から露出するように構成されている。
【００２２】
図４を参照して、スイッチ１４は、本体部１１の外側に設けられ、円筒状の本体部１１の径方向（つまり、軸方向ａと垂直な方向）に沿って延在するように設けられている。図４に示すように、スイッチ１４を、軸方向ａに沿って回転台１２側に傾けた場合、光源の強度は「弱」になる。一方、スイッチ１４を、軸方向ａに沿って回転台１２とは反対側に傾けた場合、光源の強度は「強」になる。スイッチ１４を傾けない場合（つまり、軸方向ａに対して垂直な方向に沿うようにスイッチ１４が位置する場合）、光源２０に電源が供給されず、光源２０は「オフ（切）」の状態になる。以上のように、スイッチ１４を本体部１１の軸方向ａに沿って傾けることにより、光源のオンオフおよび光源の強弱の双方を切換可能にスイッチ１４は構成されている。軸方向ａに対して垂直な方向における、スイッチ１４の外側端部の位置Ｃ３は、回転台１２の外側端部の位置Ｃ１よりも外側に位置する。言い換えれば、軸方向ａから見て、スイッチ１４は回転台１２からはみ出すように設けられている。
【００２３】
再び図３を参照して、本体部１１の外側面側であって、かつスイッチ１４の周辺には、表示シール１６が貼られている。表示シール１６には、光源の強度を示す「強」、「弱」および「切」の文字が表示されている。また「強」の文字の横には、太い上向きの矢印が記載され、かつ「弱」の文字の横には、細い下向きの矢印が記載されている。顕微鏡を使用する作業者が、直感的に「強」および「弱」の位置を理解できるように、表示シール１６のデザインが工夫されている。
【００２４】
図５を参照して、本体部１１の側部には切欠き部１１ａが設けられ、電池ケース１３の一部が切欠き部１１ａ内に配置されていてもよい。本体部１１の径方向における電池ケース１３の外側端部の位置Ｃ２は、回転台１２の外側端部の位置Ｃ１よりも外側に位置している。電池ケース１３の下端部１３ｄと、回転台１２の上端部１２ａとの間には、配線１８ａが配置されている。配線１８ａは、電池と、光源２０とを電気的に接続する。つまり、配線１８ａの一方側の端部は、本体部１１の側部に形成された孔を通って本体部１１の内側にまで延在し、本体部１１の内側において光源２０またはスイッチ機構２９と電気的に接続されている。配線１８ａの他方側は、本体部１１の外側において電池ケース１３の端子部１３ｃと電気的に接続されている。軸方向ａに対して垂直な方向における、雄ネジ部１７の幅は、回転台１２の幅よりも小さくてもよい。軸方向ａに対して垂直な方向における、本体部１１の幅は、雄ネジ部１７の幅よりも小さくてもよい。
【００２５】
図６を参照して、本体部１１の軸方向ａに沿って本体部１１を見た場合、スイッチ１４は、電池ケース１３に対して９０°ずれた位置に配置されている。言い換えれば、本体部１１の中心Ｏ（または光拡散用フィルタ１５の中心Ｏ）とスイッチ１４とを繋ぐ第１の直線は、当該第１の直線と平行な方向における電池ケース１３の短辺方向の長さの中央の位置Ｍと本体部１１の中心Ｏとを繋ぐ第２の直線に対して直角に交差する。たとえばスイッチ１４が電池ケース１３に対して１８０°ずれた位置に配置される場合、スイッチ１４が顕微鏡１の筐体６の反対側に位置するように光源装置１０を配置すると、電池ケース１３が筐体６に接触することにより、光源装置１０の本体部１１を自由に回転することができなくなる場合がある。スイッチ１４を電池ケース１３に対して９０°ずれた位置に配置することにより、電池ケース１３が筐体６に接触することを防止することができる。
【００２６】
図７を参照して、本体部１１の内部構造について説明する。筒状の本体部１１の内側には、光源２０が設けられている。光源２０は、たとえば発光ダイオード（ＬＥＤ）である。光源２０は、光源本体２０ａと、光源本体２０ａに接続された端子部２０ｂとを主に含む。光源装置１０は、本体部１１の内側に設けられた樹脂製の支持板１９をさらに含む。支持板１９は、本体部１１の内側において本体部１１の内側面に接して設けられている。支持板１９の中央付近には貫通孔１９ａが設けられている。図７に示すように、光源本体２０ａは、支持板１９の下側から貫通孔１９ａに差し込まれている。貫通孔１９ａを構成する側面と光源本体２０ａとの間には接着剤２８が設けられており、接着剤２８により光源本体２０ａが支持板１９に固定されている。言い換えれば、光源本体２０ａの少なくとも一部は、支持板１９に形成された貫通孔１９ａ内に配置され、かつ接着剤２８を介して支持板１９に固定されている。端子部２０ｂは、貫通孔１９ａの外側に延出しており、スイッチ機構２９または電池と電気的に接続されている。
【００２７】
図８を参照して、光源装置１０のスイッチ１４は、スイッチ機構２９と、ナット部３０と、突出部３１とをさらに含んでいてもよい。スイッチ機構２９は、端子部２９ａと、固定部２９ｂとを含む。固定部２９ｂは、本体部１１の内側面に接して設けられている。突出部３１は、固定部２９ｂと接し、本体部１１の側部に形成された貫通孔を貫通するように設けられている。突出部３１は、本体部１１の外側面から本体部１１の外側へ突き出し、かつ外周面にねじ部を有する。ナット部３０は、本体部１１の外側に配置され、突出部３１のねじ部に螺合する。これにより、スイッチ１４が本体部１１の側部に固定される。本体部１１の外側の突出部３１の突き出し方向における厚みＨ２は、突き出し方向におけるナット部３０の厚みＨ１よりも大きい。端子部２９ａは、光源２０と電気的に接続されるように構成されている。スイッチ１４を軸方向ａに傾斜させることにより、スイッチ機構２９の内部において電気回路が切り替えられる。
【００２８】
図９を参照して、光源装置１０の回転機構について説明する。
図９に示すように、光源装置１０は、ボルト部２３と、ワッシャ−部２４と、板バネ部２５と、ナット部２６と、皿ネジ部２７とをさらに含んでいる。ボルト部２３は、本体部１１の軸方向ａに沿って延在し、本体部１１の軸方向ａの一方側において本体部１１に固定されている。回転台１２および雄ネジ部１７の各々は、中央付近に貫通孔が設けられ、当該貫通孔にボルト部２３が挿入される。ワッシャ−部２４および板バネ部２５の各々は、回転台１２の貫通孔内に配置される。ワッシャ−部２４および板バネ部２５の各々は貫通孔を有し、当該貫通孔にボルト部２３が挿入される。ボルト部２３は、ナット部２６と螺合する。雄ネジ部１７は、皿ネジ２７により回転台１２に固定されている。本体部１１を固定して回転台１２を回転させる場合、回転台１２および雄ネジ部１７は一体として、軸方向ａの周りに回転する。反対に、回転台１２を固定して本体部１１を回転させる場合、本体部１１、ボルト部２３およびナット部２６は一体として、軸方向ａの周りに回転する。
【００２９】
図１０を参照し、光源装置１０の電気回路について説明する。
光源装置１０の電気回路は、電池２１と、スイッチ機構２９と、抵抗２２と、光源２０とを主に含んでいる。電池２１の一方側（たとえば正極側）は、スイッチ機構２９に接続され、他方側（たとえば負極側）は、光源２０としてのＬＥＤに接続されている。たとえば、スイッチ１４を「強」側に傾けると、スイッチ機構２９の内部において、切換え端子１８ｂが第１端子１８ｃに接続される。切換え端子１８ｂが第１端子１８ｃに接続される場合、光源装置１０の電気回路は、抵抗２２を含まない回路を構成する。そのため、光源２０には高い電圧が印加されるので、ＬＥＤは強い光を発する。一方、スイッチ１４を「弱」側に傾けると、スイッチ機構２９の内部において、切換え端子１８ｂが第２端子１８ｄに接続される。切換え端子１８ｂが第２端子１８ｄに接続される場合、光源装置１０の電気回路は、抵抗２２を含む回路を構成する。そのため、切換え端子１８ｂが第２端子１８ｄに接続される場合に光源２０に印加される電圧は、切換え端子１８ｂが第１端子１８ｃに接続される場合よりも小さくなる。結果として、切換え端子１８ｂが第２端子１８ｄに接続される場合、ＬＥＤは弱い光を発する。切換え端子１８ｂが、第１端子１８ｃおよび第２端子１８ｄのいずれにも接続されない場合、光源２０には電源が供給されないため、ＬＥＤは発光せずオフの状態となる。
【００３０】
次に、上記実施の形態に係る光源装置１０および光源装置１０を備えた顕微鏡１の作用効果について説明する。
【００３１】
本実施の形態に係る光源装置１０によれば、スイッチ１４を傾ける方向は、本体部１１が回転する平面に対して垂直である。そのため、スイッチ操作の際に本体部１１が回転することを防止することができる。結果として、スイッチ１４の操作を容易に行うことができる。具体的には、片手でスイッチ１４の操作を行うことができる。また、回転台１２が本体部１１に対して回転可能に構成されているため、光源装置１０を容易に顕微鏡１の台座部８に取り付けることができる。さらに、光源装置１０を顕微鏡１の台座部８に取り付けた後に、本体部１１を回転させることができるため、スイッチ１４の位置および電池ケース１３の位置を自由に調整することができる。
【００３２】
また本実施の形態に係る光源装置１０によれば、電池ケース１３は、電池の側面が電池ケース１３から露出するように構成されている。これにより、電池が電池ケース１３に装着されているかどうかを電池ケース１３の外部から容易に確かめることができる。また、電池の交換作業を容易に行うことができる。
【００３３】
さらに本実施の形態に係る光源装置１０によれば、本体部１１の内側に配置され、かつ貫通孔１９ａを有する支持板１９をさらに備えている。光源２０は、光源本体２０ａと、光源本体２０ａに接続された端子部２０ｂとを含む。光源本体２０ａの少なくとも一部は、貫通孔１９ａ内に配置され、かつ接着剤２８を介して支持板１９に固定されている。これにより、光源本体２０ａを強固に支持板１９に固定することができる。
【００３４】
さらに本実施の形態に係る光源装置１０によれば、スイッチ１４は、本体部１１の外側面から本体部１１の外側へ突き出し、かつ外周面にねじ部を有する突出部３１と、本体部１１の外側に配置され、突出部３１のねじ部に螺合するナット部３０とを含む。本体部１１の外側の突出部３１の突き出し方向における厚みＨ２は、突き出し方向におけるナット部３０の厚みＨ１よりも大きい。突出部により、スイッチ１４の根元を効果的に保護することができる。
【００３５】
さらに本実施の形態に係る光源装置１０によれば、電池ケース１３の下端部１３ｄと、回転台１２の上端部１２ａとの間に配置され、かつ電池と、光源２０とを電気的に接続する配線１８ａをさらに備えている。これにより、配線１８ａを電池ケース１３の下端部１３ｄと、回転台１２の上端部１２ａとの間にまで引き出すことにより、配線１８ａの接続を容易にすることができる。また配線１８ａを電池ケース１３の上端部に引き出すと、作業時に誤って配線１８ａが切断される可能性がある。電池ケース１３の下端部１３ｄと、回転台１２の上端部１２ａとの間に配線１８ａを配置することで、電池ケース１３と回転台１２との両方により配線１８ａの接続部が保護されるため、誤って配線１８ａが切断させることを防止することができる。
【００３６】
本実施の形態に係る光源装置１０によれば、上記に記載の光源装置１０を備えている。これにより、スイッチ１４の操作を容易に行うことができる顕微鏡１を提供することができる。
【００３７】
今回開示された実施の形態はすべての点で例示であって、制限的なものではないと考えられるべきである。本考案の範囲は上記した説明ではなく実用新案登録請求の範囲によって示され、実用新案登録請求の範囲と均等の意味、および範囲内でのすべての変更が含まれることが意図される。
【符号の説明】
【００３８】
１  顕微鏡、２  接眼レンズ、３  対物レンズ、４  粗動ハンドル、５  微動ハンドル、６  筐体、７  ステージ、８  台座部、９  雌ネジ部、１０  光源装置、１１  本体部、１１ａ  切欠き部、１２  回転台、１２ａ  上端部、１３  電池ケース、１３ａ  背面部、１３ｂ  側面部、１３ｃ，２０ｂ，２９ａ  端子部、１３ｄ  下端部、１４  スイッチ、１５  光拡散用フィルタ、１６  表示シール、１７  雄ネジ部、１８ａ  配線、１８ｂ  切換え端子、１８ｃ  第１端子、１８ｄ  第２端子、１９  支持板、１９ａ  貫通孔、２０  光源、２０ａ  光源本体、２１  電池、２２  抵抗、２３  ボルト部、２４  ワッシャ−部、２５  板バネ部、２６，３０  ナット部、２７  皿ネジ、２８  接着剤、２９  スイッチ機構、２９ｂ  固定部、３１  突出部、３２  絞り、Ｃ１，Ｃ２，Ｃ３，Ｍ  位置、Ｈ１，Ｈ２  厚み、Ｏ  中心、ａ  軸方向、ｂ  回転方向。
【図１】
0003191200.tif 000003
【図２】
0003191200.tif 000004
【図３】
0003191200.tif 000005
【図４】
0003191200.tif 000006
【図５】
0003191200.tif 000007
【図６】
0003191200.tif 000008
【図７】
0003191200.tif 000009
【図８】
0003191200.tif 000010
【図９】
0003191200.tif 000011
【図１０】
0003191200.tif 000012